【手続補正書】
【提出日】平成26年1月16日(2014.1.16)
【手続補正１】
【補正対象書類名】特許請求の範囲
【補正対象項目名】全文
【補正方法】変更
【補正の内容】
【特許請求の範囲】
【請求項１】
少なくとも一部が、常温よりも高温もしくは低温の雰囲気に曝される吸着塔と、
前記吸着塔の一端側もしくは他端側から該吸着塔内に複数の物質を含有する混合ガスを供給する混合ガス供給部と、
前記吸着塔内に設けられ、所定の圧力および温度環境下で前記混合ガスに接触すると、当該混合ガスに含有される物質を吸着して、混合ガス中の物質を分離する吸着剤と、
前記混合ガスから前記吸着剤に吸着された物質が取り除かれた分離ガスを前記吸着塔の前記一端側もしくは前記他端側から排出する分離ガス排出部と、
前記吸着塔内を減圧して前記吸着剤に吸着した吸着ガスを吸着剤から脱着させて当該吸着塔から排出する吸着ガス排出部と、
前記混合ガス供給部を制御して前記吸着塔内へ混合ガスを供給する供給処理、前記分離ガス排出部を制御して前記吸着塔内から分離ガスを排出する分離ガス排出処理、および、前記吸着ガス排出部を制御して前記吸着塔内から吸着ガスを排出する吸着ガス排出処理を時系列に行うガス分離処理を制御する制御手段と、
を備え、
前記吸着塔には、
前記吸着剤よりも前記混合ガスの供給方向の上流側および下流側の双方に配され、前記混合ガス供給部から当該吸着塔内に供給される混合ガス、前記分離ガス排出部によって当該吸着塔内から排出される分離ガス、および、前記吸着ガス排出部によって当該吸着塔から排出される吸着ガスが通過する蓄熱体が設けられており、
前記制御手段は、
前記供給処理において、前記混合ガス供給部を制御して、前記吸着塔の一端側および他端側のうち、前回の分離ガス排出処理において前記分離ガスを排出した側から、前記混合ガスを供給させ、
前記分離ガス排出処理において、前記分離ガス排出部を制御して、前記吸着塔における、前回の分離ガス排出処理で分離ガスを排出した側と異なる側から分離ガスを排出させることを特徴とするガス分離装置。
【請求項２】
前記制御手段は、
１回のガス分離処理において、前記吸着塔の一端側から前記分離ガスを排出し、前記吸着塔の他端側から前記吸着ガスを排出することを特徴とする請求項１記載のガス分離装置。
【請求項３】
前記蓄熱体は、所定の圧力および前記吸着剤よりも常温に近い温度環境下で前記混合ガスに接触すると、当該混合ガスに含有される物質を吸着して、混合ガスの物質を分離することを特徴とする請求項１または２に記載のガス分離装置。
【請求項４】
前記蓄熱体は、
前記吸着剤と同一の部材で構成されていることを特徴とする請求項１〜３のいずれかに記載のガス分離装置。
【請求項５】
前記吸着塔は、
直線状に延在する複数の延在部と、２つの延在部を接続する湾曲形状もしくは屈曲形状の折り返し部と、を有する管状部材で構成されていることを特徴とする請求項１〜４のいずれかに記載のガス分離装置。
【請求項６】
前記複数の延在部は、互いに平行に配置されており、
前記混合ガスの供給方向の上流側および下流側に配される２つの蓄熱体は、２つの延在部にそれぞれ設けられるとともに、該延在部における前記折り返し部が接続される端部と反対の端部に配置されていることを特徴とする請求項５記載のガス分離装置。
【請求項７】
前記吸着剤は、酸素を吸着するペロブスカイト型酸化物であることを特徴とする請求項１〜６のいずれかに記載のガス分離装置。
【請求項８】
少なくとも一部が、常温よりも高温もしくは低温の雰囲気に曝される吸着塔内に設けられた吸着剤に、所定の圧力および温度環境下で混合ガスを接触させることにより、当該混合ガスに含有される物質を吸着剤に吸着させ、混合ガス中の物質を分離するガス分離方法であって、
前記吸着塔には、前記吸着剤よりも前記混合ガスの供給方向の上流側および下流側の双方に配され、当該吸着塔内に供給される混合ガス、当該吸着塔内から排出される分離ガス、および、当該吸着塔から排出される吸着ガスが通過する蓄熱体が設けられており、
前記吸着塔内に前記混合ガスを供給する供給工程と、
前記吸着塔内を前記所定の圧力および温度環境に維持し、前記混合ガスに含有される物質を吸着剤に吸着させる吸着工程と、
前記混合ガスから前記吸着剤に吸着された物質が取り除かれた分離ガスを前記吸着塔から排出する分離ガス排出工程と、
前記吸着塔内を減圧して前記吸着剤に吸着した吸着ガスを吸着剤から脱着させて当該吸着塔から排出する吸着ガス排出工程と、
を繰り返し行い、
前記供給工程において、前記吸着塔の一端側および他端側のうち、前回の分離ガス排出工程において前記分離ガスを排出した側から、前記混合ガスを供給し、
前記分離ガス排出工程において、前記吸着塔における、前回の分離ガス排出工程で分離ガスを排出した側と異なる側から分離ガスを排出させることを特徴とするガス分離方法。
【手続補正２】
【補正対象書類名】明細書
【補正対象項目名】０００７
【補正方法】変更
【補正の内容】
【０００７】
以下に参考発明について記載する。
上記課題を解決するために、参考発明のガス分離装置は、少なくとも一部が、常温よりも高温もしくは低温の雰囲気に曝される吸着塔と、前記吸着塔内に複数の物質を含有する混合ガスを供給する混合ガス供給部と、前記吸着塔内に設けられ、所定の圧力および温度環境下で前記混合ガスに接触すると、当該混合ガスに含有される物質を吸着して、混合ガス中の物質を分離する吸着剤と、前記混合ガスから前記吸着剤に吸着された物質が取り除かれた分離ガスを前記吸着塔から排出する分離ガス排出部と、前記吸着塔内を減圧して前記吸着剤に吸着した吸着ガスを吸着剤から脱着させて当該吸着塔から排出する吸着ガス排出部と、を備え、前記吸着塔には、前記吸着剤よりも前記混合ガスの供給方向の上流側および下流側の双方に配され、前記混合ガス供給部から当該吸着塔内に供給される混合ガス、前記分離ガス排出部によって当該吸着塔内から排出される分離ガス、および、前記吸着ガス排出部によって当該吸着塔から排出される吸着ガスが通過する蓄熱体が設けられていることを特徴とする。
【手続補正３】
【補正対象書類名】明細書
【補正対象項目名】０００８
【補正方法】変更
【補正の内容】
【０００８】
また、参考発明の前記混合ガス供給部は、前記吸着塔の一端側および他端側の双方から前記混合ガスを供給可能であり、前記分離ガス排出部は、前記吸着塔の一端側および他端側の双方から前記分離ガスを排出可能であるとしてもよい。
【手続補正４】
【補正対象書類名】明細書
【補正対象項目名】０００９
【補正方法】変更
【補正の内容】
【０００９】
また、参考発明の前記吸着塔内へ混合ガスを供給する供給処理、前記吸着塔内から分離ガスを排出する分離ガス排出処理、および、前記吸着塔内から吸着ガスを排出する吸着ガス排出処理を時系列に行うガス分離処理を制御する制御手段を備え、前記制御手段は、前記供給処理において、前記吸着塔の一端側および他端側のうち、前回の分離ガス排出処理において前記分離ガスを排出した側から、前記混合ガスを供給するとしてもよい。
参考発明についての記載は、以上である。
【手続補正５】
【補正対象書類名】明細書
【補正対象項目名】００１０
【補正方法】変更
【補正の内容】
【００１０】
上記課題を解決するために、本発明のガス分離装置は、少なくとも一部が、常温よりも高温もしくは低温の雰囲気に曝される吸着塔と、前記吸着塔の一端側もしくは他端側から該吸着塔内に複数の物質を含有する混合ガスを供給する混合ガス供給部と、前記吸着塔内に設けられ、所定の圧力および温度環境下で前記混合ガスに接触すると、当該混合ガスに含有される物質を吸着して、混合ガス中の物質を分離する吸着剤と、前記混合ガスから前記吸着剤に吸着された物質が取り除かれた分離ガスを前記吸着塔の前記一端側もしくは前記他端側から排出する分離ガス排出部と、前記吸着塔内を減圧して前記吸着剤に吸着した吸着ガスを吸着剤から脱着させて当該吸着塔から排出する吸着ガス排出部と、前記混合ガス供給部を制御して前記吸着塔内へ混合ガスを供給する供給処理、前記分離ガス排出部を制御して前記吸着塔内から分離ガスを排出する分離ガス排出処理、および、前記吸着ガス排出部を制御して前記吸着塔内から吸着ガスを排出する吸着ガス排出処理を時系列に行うガス分離処理を制御する制御手段と、を備え、前記吸着塔には、前記吸着剤よりも前記混合ガスの供給方向の上流側および下流側の双方に配され、前記混合ガス供給部から当該吸着塔内に供給される混合ガス、前記分離ガス排出部によって当該吸着塔内から排出される分離ガス、および、前記吸着ガス排出部によって当該吸着塔から排出される吸着ガスが通過する蓄熱体が設けられており、前記制御手段は、前記供給処理において、前記混合ガス供給部を制御して、前記吸着塔の一端側および他端側のうち、前回の分離ガス排出処理において前記分離ガスを排出した側から、前記混合ガスを供給させ、前記分離ガス排出処理において、前記分離ガス排出部を制御して、前記吸着塔における、前回の分離ガス排出処理で分離ガスを排出した側と異なる側から分離ガスを排出させることを特徴とする。
【手続補正６】
【補正対象書類名】明細書
【補正対象項目名】００１７
【補正方法】変更
【補正の内容】
【００１７】
上記課題を解決するために、本発明のガス分離方法は、少なくとも一部が、常温よりも高温もしくは低温の雰囲気に曝される吸着塔内に設けられた吸着剤に、所定の圧力および温度環境下で混合ガスを接触させることにより、当該混合ガスに含有される物質を吸着剤に吸着させ、混合ガス中の物質を分離するガス分離方法であって、前記吸着塔には、前記吸着剤よりも前記混合ガスの供給方向の上流側および下流側の双方に配され、当該吸着塔内に供給される混合ガス、当該吸着塔内から排出される分離ガス、および、当該吸着塔から排出される吸着ガスが通過する蓄熱体が設けられており、前記吸着塔内に前記混合ガスを供給する供給工程と、前記吸着塔内を前記所定の圧力および温度環境に維持し、前記混合ガスに含有される物質を吸着剤に吸着させる吸着工程と、前記混合ガスから前記吸着剤に吸着された物質が取り除かれた分離ガスを前記吸着塔から排出する分離ガス排出工程と、前記吸着塔内を減圧して前記吸着剤に吸着した吸着ガスを吸着剤から脱着させて当該吸着塔から排出する吸着ガス排出工程と、を繰り返し行い、前記供給工程において、前記吸着塔の一端側および他端側のうち、前回の分離ガス排出工程において前記分離ガスを排出した側から、前記混合ガスを供給し、分離ガス排出工程において、吸着塔における、前回の分離ガス排出工程で分離ガスを排出した側と異なる側から分離ガスを排出させることを特徴とする。